(57)【要約】【課題】従来より不正行為の多様化への対応が可能な遊技機の提供を目的とする。【解決手段】本発明の遊技機１０には、無線ノイズに応じた電力を出力するループアンテナ３３と、ループアンテナ３３の出力に応じた電流が流れ得る検出回路３２と、検出回路３２に流れる電流を検出する電流測定部３４と、検出回路３２に設けられ、閉位置と開位置との間を移動とする開閉部材３８と、開閉部材３８を閉位置に付勢する着磁部材３９を有し、不正な磁力又は振動により開閉部材３８を着磁部材３９に抗して開位置に移動可能に支持する開閉支持機構とを有する不正検出センサ３０が備えられている。【選択図】図２
2019005304.tif 000002
【特許請求の範囲】
【請求項１】
無線ノイズに応じた電力を出力するノイズ受信手段を含み、そのノイズ受信手段の出力に応じた電流が流れ得る検出回路と、前記検出回路に流れる電流又はその代用値を検出する電流検出手段と、前記電流検出手段の検出結果に基づいて前記無線ノイズが不正なノイズか否かを判別する不正判別手段とを備える遊技機において、
前記検出回路に設けられて、閉位置と開位置との間を移動し、前記閉位置に位置したときに前記検出回路を前記電流が流れる得る閉状態とする一方、前記開位置に位置したときに前記検出回路を前記電流が流れ得ない開状態とする開閉部材と、
前記開閉部材を前記閉位置に付勢する付勢手段を有し、不正な磁力又は振動により前記開閉部材を前記付勢手段の付勢力に抗して前記開位置に移動可能に支持する開閉支持機構とを備え、
前記不正判別手段は、前記電流検出手段の検出結果に基づいて前記不正な磁力又は振動を受けたか否かを検出する遊技機。
【請求項２】
前記検出回路は、予め定められた基準電流を流し続ける基準電流生成手段を備える請求項１に記載の遊技機。
【請求項３】
前記付勢手段は、前記検出回路に設けられ、前記閉位置の前記開閉部材と当接する着磁部材からなり、
前記開閉部材には、前記着磁部材と当接可能な位置に前記着磁部材に引き寄せられる磁性体が設けられている請求項１又は２に記載の遊技機。
【請求項４】
前記開閉部材は、弾性変形可能なシート状の導通性フィルムをなし、
前記磁性体は、前記導通性フィルムに張り付けられた弾性変形可能な鉄箔である請求項３に記載の遊技機。
【請求項５】
前記開閉支持機構は、
前記検出回路が実装された回路基板の上面から突出した支持片と、
前記支持片に揺動可能に支持されて、前記支持片から垂下したコイルバネとを有し、
前記開閉部材は、前記コイルバネから垂下して、前記コイルバネが揺動状態の場合に、前記着磁部材から離間した開位置に移動する請求項３又は４に記載の遊技機。
【発明の詳細な説明】
【技術分野】
【０００１】
本発明は、不正行為を検出することができる遊技機に関する。
【背景技術】
【０００２】
従来、この種の遊技機として、電波を受けると電流が変化する回路を備え、変化する電流に基づいて、不正行為を検出するものが知られている（例えば、特許文献１参照）。
【先行技術文献】
【特許文献】
【０００３】
【特許文献１】特開２０１１−１２０７２０号公報（図１）
【発明の概要】
【発明が解決しようとする課題】
【０００４】
しかしながら、遊技機に対する不正行為は電波を用いたものだけでなく、磁力や振動を用いたものが挙げられる。それら他の不正行為を検出するためのスペースを容易に確保でき、コストも抑えられる遊技機が求められていた。
【０００５】
本発明は、上記事情に鑑みてなされたもので、磁力や振動を用いた不正行為を検出する場合でもスペースの確保が容易で、さらに、コストを抑えることが可能な遊技機の提供を目的とする。
【課題を解決するための手段】
【０００６】
上記目的を達成するためになされた請求項１に係る発明は、無線ノイズに応じた電力を出力するノイズ受信手段を含み、そのノイズ受信手段の出力に応じた電流が流れ得る検出回路と、前記検出回路に流れる電流又はその代用値を検出する電流検出手段と、前記電流検出手段の検出結果に基づいて前記無線ノイズが不正なノイズか否かを判別する不正判別手段とを備える遊技機において、前記検出回路に設けられて、閉位置と開位置との間を移動し、前記閉位置に位置したときに前記検出回路を前記電流が流れる得る閉状態とする一方、前記開位置に位置したときに前記検出回路を前記電流が流れ得ない開状態とする開閉部材と、前記開閉部材を前記閉位置に付勢する付勢手段を有し、不正な磁力又は振動により前記開閉部材を前記付勢手段の付勢力に抗して前記開位置に移動可能に支持する開閉支持機構とを備え、前記不正判別手段は、前記電流検出手段の検出結果に基づいて前記不正な磁力又は振動を受けたか否かを検出する遊技機である。
【０００７】
請求項２に係る発明は、前記検出回路は、予め定められた基準電流を流し続ける基準電流生成手段を備える請求項１に記載の遊技機である。
【０００８】
請求項３に係る発明は、前記付勢手段は、前記検出回路に設けられ、前記閉位置の前記開閉部材と当接する着磁部材からなり、前記開閉部材には、前記着磁部材と当接可能な位置に前記着磁部材に引き寄せられる磁性体が設けられている請求項１又は２に記載の遊技機である。
【０００９】
請求項４に係る発明は、前記開閉部材は、弾性変形可能なシート状の導通性フィルムをなし、前記磁性体は、前記導通性フィルムに張り付けられた弾性変形可能なの鉄箔である請求項３に記載の遊技機である。
【００１０】
請求項５に係る発明は、前記開閉支持機構は、前記検出回路が実装された回路基板の上面から突出した支持片と、前記支持片に揺動可能に支持されて、前記支持片から垂下したコイルバネとを有し、前記開閉部材は、前記コイルバネから垂下して、前記コイルバネが揺動状態の場合に、前記着磁部材から離間した開位置に移動する請求項３又は４に記載の遊技機である。
【発明の効果】
【００１１】
請求項１の構成によれば、無線ノイズによる不正を検出可能な不正検出手段で、電流検出手段の検出結果に基づき磁力や振動による不正についても検出することができる。即ち、本発明によれば、不正な無線ノイズのみならず、不正な磁力や振動の検出にも電流検出手段を兼用することができるので、スペースの確保が容易で、さらに、コストを抑えることが可能となる。
【００１２】
請求項２の構成のように、検出回路に予め定められた基準電流を流し続ける基準電流生成手段を備えることで、検出回路が閉状態で無線ノイズが検出されない場合と、検出回路が開状態である場合との判別を容易に行うことができる。
【００１３】
開閉部材を閉位置に付勢する付勢手段としては、磁力を用いた構成が挙げられる。具体的には、請求項３のように、開閉部材と当接する部材を着磁部材とすると共に、開閉部材に磁性体を備える構成とすればよい。ここで、開閉部材は、例えば、円柱状をなした棒体であってもよいし、弾性変形可能なシート状であってもよい（請求項４の構成）。開閉部材をシート状とする場合には、磁性フィルムに導通性を有する銅箔を張り付けた構成としてもよいし、請求項４のように、導通性フィルムに磁性を有する鉄箔を張り付けた構成としてもよい。開閉部材を、シート状とすることで、開閉部材を軽量にすることが可能となる。
【００１４】
請求項５の構成によれば、簡易な構成で開閉部材を揺動可能とすることができる。また、コイルバネを備えることで、振動を検出し易く、不正判別手段の精度を高めることが可能となる。
【図面の簡単な説明】
【００１５】
【図１】本発明の一実施形態に係る遊技機の正面図
【図２】回路基板の斜視図
【発明を実施するための形態】
【００１６】
［第１実施形態］
以下、本発明をパチンコ遊技機に適用した一実施形態を、図１及び図２に基づいて説明する。図１に示すように、本実施形態の遊技機１０の遊技盤１１の前面には、遊技領域Ｒ１が形成され、その遊技領域Ｒ１に複数の入賞口１４Ａ，１４Ｂ，１５，２０が備えられている。各入賞口１４Ａ，１４Ｂ，１５，２０の内部には、遊技球の入賞を検知する検知センサ（図示せず）が取り付けられ、遊技盤１１の裏側には、それら検知センサの信号に基づいて各種の当否判定を行うと共に、それら当否判定結果に基づいて遊技状態の切り替えを行う等の遊技の全体を制御する図示しない主制御基板等が備えられている。そして、遊技盤１１には、検知センサに対する電波による不正行為（所謂、電波ゴト）を検出するための不正検出センサ３０が取り付けられている。
【００１７】
不正検出センサ３０は、樹脂製のケース（図示せず）の内部に図２に示す回路基板３１を収容してなる。回路基板３１には、ループアンテナ３３、電流測定部３４等が実装され、それらがプリント配線等で接続されて検出回路３２を構成している。ループアンテナ３３は、本発明の「ノイズ受信手段」に相当し、回路基板３１と直交する方向の無線ノイズを受信可能となっている。電流測定部３４は、本発明の「電流検出手段」に相当し、検出回路３２に流れる電流を測定する。また、電流測定部３４は、主制御基板のＣＰＵ（図示せず）に接続され、電流測定部３４にて測定された電流値がＣＰＵに取り込まれる。ＣＰＵは、所定周期毎に後述する不正検出処理を実行し、測定した電流値に基づき受信した無線ノイズが不正なノイズか否かを判別する。なお、不正検出処理を実行中のＣＰＵが本発明の「不正判別手段」に相当する。
【００１８】
ところで、本実施形態の検出回路３２には、外部から不正な磁力や振動を受けた場合に、検出回路３２を閉状態から開状態へと切り替える開閉部材３８が設けられている。開閉部材３８は、回路基板３１の上面から突出した支持片３６に支持されている。支持片３６は、Ｌ字状をなし、回路基板３１の上面と直交する方向に延びる脚部３６Ａと、脚部３６Ａの先端部から直角に曲がった片持ち梁部３６Ｂとを備えている。片持ち梁部３６Ｂの先端部には、圧縮コイルバネ３７が揺動可能に固定されて片持ち梁部３６Ｂから垂下し、その圧縮コイルバネ３７の下端部に開閉部材３８が取り付けられている。
【００１９】
開閉部材３８は、帯状をなし、弾性変形可能なシート状の導通性フィルム３８Ａの下端寄り位置に鉄箔３８Ｂを張り付けてなる。また、開閉部材３８は、図２に示すように、圧縮コイルバネ３７から垂下した状態で、その下端部が回路基板３１の上面に当接可能な長さとなっている。検出回路３２のうち、開閉部材３８が垂下する下方領域には、着磁部材３９が配置されている。これにより、開閉部材３８は、常には、着磁部材３９に付勢されて鉄箔３８Ｂが貼り付けられた側の面が着磁部材３９と当接した閉位置に位置し、検出回路３２が電流が流れ得る閉状態となっている。
【００２０】
また、圧縮コイルバネ３７は比較的サイズの小さいもので構成可能であると共に、開閉部材３８がフィルムで構成されているので、これら圧縮コイルバネ３７と開閉部材３８とを軽量とすることができ、圧縮コイルバネ３７と開閉部材３８とにかかる重力に比べて着磁部材３９の磁力を大きくすることが可能となる。これにより、例えば、回路基板３１を鉛直に配置し、開閉部材３８が着磁部材３９からの磁力の影響を受けない場合に開閉部材３８及び圧縮コイルバネ３７が鉛直方向に垂下し、開閉部材３８の下端部が着磁部材３９から離間した構成であっても、開閉部材３８が着磁部材３９からの影響を受けた場合には、開閉部材３８が重力に抗して着磁部材３９に引き寄せられて開閉部材３８の下端部が着磁部材３９に当接して、圧縮コイルバネ３７及び開閉部材３８が片持ち梁部３６Ｂと着磁部材３９との間で架橋した状態となり、検出回路３２を閉状態とすることが可能となる。即ち、本実施形態の不正検出センサ３０では、不正検出センサ３０をあらゆる角度で遊技盤１１に取り付けることが可能となり、不正検出センサ３０の設置にかかる自由度を高めることができる。なお、着磁部材３９が本発明の「付勢手段」に相当し、この着磁部材３９と、支持片３６と、圧縮コイルバネ３７とから本発明の「開閉支持機構」が構成されている。
【００２１】
検出回路３２には、予め設定された基準電流を流す電池３５（本発明の「基準電流生成手段」に相当する）が実装されている。これにより、検出回路３２が閉状態のときには、検出回路３２に基準電流が流れている状態となり、この状態で無線ノイズを検出した場合には、基準電流と無線ノイズの大きさに応じた電流との和が流れることとなる。
【００２２】
上述したように、主制御基板のＣＰＵには、所定周期毎に不正検出処理を実行している。不正検出処理では、電流測定部３４にて測定された電流値に基づいて、不正が行われているか否かの判別を判別する。具体的には、測定された電流値が、予め定められた基準電流より大きい判定値以上である場合に、不正が行われていると判定し、異常を報知する。また、測定された電流値が、０、即ち、検出回路３２に電流が流れていない開状態である場合についても、不正が行われていると判定し、異常を報知する。
【００２３】
本実施形態の構成に関する説明は以上である。次に、本実施形態の作用効果について説明する。各入賞口１４Ａ，１４Ｂ，１５，２０に遊技球が入賞すると、各入賞口１４Ａ，１４Ｂ，１５，２０の内部に備えた検知センサが遊技球の通過を検出して、主制御基板へと信号を送信する。
【００２４】
ところで、検知センサに対して外部から電波を照射して、遊技球が通過していないにも関わらず、遊技球が通過したかのように誤認させ、不正に賞球を得ようする不正行為が行われる場合がある。また、不正行為は電波を用いたものだけでなく、磁力や振動を用いたものが挙げられる。
【００２５】
これに対し、本実施形態の遊技機１０には、不正検出センサ３０が備えられているので、これら不正行為を検出することができる。具体的には、例えば、検知センサに対して電波が照射された場合には、不正検出センサ３０の検出回路３２に無線ノイズに応じた電流が流れるので、不正検出処理にて電流測定部３４が測定した電流値に基づいて不正が行われたと判定され、異常が報知される。
【００２６】
また、例えば、検知センサに対して外部から磁力が付与された場合には、不正検出センサ３０において開閉部材３８が外部からの磁力に引き寄せられて着磁部材３９から離れて開位置に移動し、検出回路３２が開状態となる。すると、電流測定部３４の測定値が０であること基づいて不正検出処理にて不正が行われたと判定され、異常が報知される。
【００２７】
また、例えば、遊技機１０に対して外部から振動が加えられた場合には、不正検出センサ３０において圧縮コイルバネ３７が揺動して開閉部材３８が着磁部材３９から離れた開位置に移動し、検出回路３２が開状態となる。すると、電流測定部３４の測定値が０であること基づいて不正検出処理にて不正が行われたと判定され、異常が報知される。
【００２８】
このように、本実施形態の遊技機１０では、電波による不正を検出可能な不正検出センサ３０で、電流測定部３４の検出結果に基づき磁力や振動による不正についても検出することができる。即ち、本発明によれば、不正な無線ノイズのみならず、不正な磁力や振動の検出にも電流測定部３４を兼用することができるので、スペースの確保が容易で、さらに、コストを抑えることが可能となる。
【００２９】
また、本実施形態では、検出回路３２に電池３５を備えたので、検出回路３２が閉状態で無線ノイズが検出されない場合と、検出回路３２が開状態である場合との判別を容易に行うことができる。
【００３０】
さらに、本実施形態では、開閉部材３８を三次元に揺動可能としたので、検出可能な振動の方向を三次元とすることができる。また、圧縮コイルバネ３７を備えることで、振動を検出し易く、振動に係る不正の検出の精度を高めることが可能となる。
【００３１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３２】
（１）上記実施形態では、開閉部材３８がシート状であってが、開閉部材３８は、シート状に限るものではなく、例えば、円柱状をなした棒体であってよい。なお、上記実施形態のように、開閉部材３８をシート状とした方が、開閉部材３８を軽量とすることができ、不正検出センサ３０の設置にかかる自由度を高めることが可能となる。
【００３３】
（２）上記実施形態では、開閉部材３８が圧縮コイルバネ３７を介して支持片３６に取り付けられていたが、圧縮コイルバネ３７を設けない構成であってもよい。
【００３４】
（３）上記実施形態では、ループアンテナ３３が回路基板３１と直交する方向の無線ノイズについて受信可能な構成になっていたが、無線ノイズを受信可能な方向は、何れの方向であってもよく、ループアンテナ３３を回路基板３１に対して直交する向きに設けてもよい。また、受信方向の異なるループアンテナ３３を複数、設けた構成であってもよい。
【００３５】
（４）上記実施形態では、開閉部材３８が導通性フィルム３８Ａに鉄箔３８Ｂを張り付けた構成をなしていたが、磁性及び導通性を有していれば、例えば、磁性フィルムに銅箔を張り付けた構成であってもよいし、樹脂に鉄及び銅を混ぜ込んでフィルムとしたものであってもよい。
【００３６】
（５）上記実施形態では、支持片３６がＬ字状をなしていたが、例えば、Ｉ字状や、門型状、円弧状であってもよい。
【符号の説明】
【００３７】
１０    遊技機
３０    不正検出センサ
３１    回路基板
３２    検出回路
３３    ループアンテナ
３４    電流測定部
３５    電池
３６    支持片
３７    圧縮コイルバネ
３８    開閉部材
３９    着磁部材
【図１】
2019005304.tif 000003
【図２】
2019005304.tif 000004